(57)【特許請求の範囲】
【請求項１】
両端に主電極を有し、アーク長が２．０ｍｍ以下の発光管が、反射鏡の光軸に配置され、該反射鏡の開放部付近には防爆用前面ガラスが設けられている反射型ランプ装置に於いて、該ランプに取り付けられる反射鏡の開放口側は断面四角形状に構成され、該反射鏡の有効反射に寄与しない壁面の開放口付近に電力供給線が通る溝が設けられ、該開放端部に設けられた溝は電力供給線と防爆用前面ガラス、反射鏡をアセンブリーする際に用いる接着剤にて埋められていることを特徴とする反射型ランプ装置。
【請求項２】
両端に主電極を有し、アーク長が２．０ｍｍ以下の発光管が、反射鏡の光軸に配置され、該反射鏡の開放部付近には防爆用前面ガラスが設けられている反射型ランプ装置に於いて、該ランプに取り付けられる反射鏡の開放口側は外径５０ｍｍ×５０ｍｍ以下の断面四角形状に構成され、該反射鏡の有効反射に寄与しない平らな壁面の開放口付近に電力供給線が通る溝が設けられ、該開放口付近に設けられた溝は電力供給線と防爆用前面ガラス、反射鏡をアセンブリーする際に用いる接着剤にて埋められていることを特徴とする反射型ランプ装置。
【発明の詳細な説明】
【０００１】
【発明の属する技術分野】
この発明は主に映像用機器或いは光学用機器に組み込み使用する反射型ランプ装置の改良に関する。
【０００２】
【従来の技術】
従来、反射型ランプ装置は、主にプロジェクターやプロジェクションＴＶ、映写機などに使用されている。
【０００３】
この反射型ランプ装置を使用したプロジェクターは、用途としてテレビ（ＣＲＴ）やＯＨＰの代わりとして普及しつつある。中でも、液晶プロジェクター、ＤＬＰプロジェクターの普及は著しい。
こうしたプロジェクターに対する要求としては、高解像度、高精細とともに、明るさの向上、照射画面の均一性、小型軽量、低コストなどがある。近年、各プロジェクターに用いられるＬＣＤパネルの透過率、ＤＭＤチップの反射率の向上は著しく、より小型の素子で特性の向上が図れる様になっている。
【０００４】
こうした素子の動向を受け、バックライトとしての光源（ランプ）には輝度の向上や光の集光率の向上、小型化が要求されている。ランプの輝度向上、集光率の向上は出力電力の増加、電極間距離の短縮で図られている。
【０００５】
ところで、小型化は反射型ランプ装置を構成する反射鏡の小型化によるものが多く、反射鏡の小型化は有効反射面積の減少を招き、単位面積あたりの反射利用率は大きくなるといえる。こうした反射有効面積の減少のなかでも、反射鏡の開放部に防爆用前面ガラスを装着した略密閉構造で用いられる反射型ランプ装置では、図４に示すように、電力供給線１の通過孔２は、反射鏡３の有効反射面４に設けている。
【０００６】
【発明が解決しょうとする課題】
ところで、図４に示す従来の反射型ランプ装置では、ランプの電力供給線の通過孔は反射鏡の有効反射面に設けてあるので、反射率の低下（反射面の減少）を招き、出射光量の低下、通過孔の場所によっては照射面上に色むら、光量むらを起こすなどの不具合が発生している。
【０００７】
さらに、図４に示す反射型ランプ装置の通過孔は、ガラス面に機械加工を施すことで形成しているが、機械加工時に通過孔の周辺部のガラスにクラックが発生することが多い。こうしたクラックは実際のランプと組み合わせた使用時においては、ランプの点滅による熱負荷により、反射鏡の割れの原因になる欠点がある。
【０００８】
本発明は上記の諸点に鑑み発明したもので、高解像度、高精細で、照射画面は均一で、さらに反射鏡の有効反射面の利用効率を増大し、特性の良い反射型ランプ装置を提供することを目的とする。
【０００９】
【課題を解決するための手段】
上記目的を達成するため、請求項１に記載の本発明に係る反射型ランプ装置は、両端に主電極を有し、アーク長が２．０ｍｍ以下の発光管が、反射鏡の光軸に配置され、該反射鏡の開放部付近には防爆用前面ガラスが設けて構成してある。そして該ランプに取り付けられる反射鏡の開放口側は断面四角形状に構成され、該反射鏡の有効反射に寄与しない壁面の開放口付近に電力供給線が通る溝が設けられ、該開放端部に設けられた溝は電力供給線と防爆用前面ガラス、反射鏡をアセンブリーする際に用いる接着剤にて埋められている。
【００１０】
請求項２に記載の本発明に係る反射型ランプ装置は、両端に主電極を有し、アーク長が２．０ｍｍ以下の発光管が、反射鏡の光軸に配置され、該反射鏡の開放部付近には防爆用前面ガラスが設けて構成してある。そして該ランプに取り付けられる反射鏡の開放口側は外径５０ｍｍ×５０ｍｍ以下の断面四角形状に構成され、該反射鏡の有効反射に寄与しない平らな壁面の開放口付近に電力供給線が通る溝が設けられ、該開放端部に設けられた溝は電力供給線と防爆用前面ガラス、反射鏡をアセンブリーする際に用いる接着剤にて埋められている。
【００１１】
上記した請求項１または請求項２記載の反射型ランプ装置によると、反射鏡の有効反射に寄与しない平らな壁面の開放口付近に電力供給線が通る溝を設けて構成したので、反射鏡の有効反射面の利用効率を増大し、投射面に色むらと輝度むらが少なく、クラック等が発生することがなく、特性の優れた構成となる。
【００１４】
【発明の実施の形態】
以下本発明を図１乃至図３について説明する。図１乃至図３において、１１は反射型ランプ装置を構成する反射鏡であって、内面に回転放物面形の反射面１２を有し、同反射面１２に連接して開放口側に断面四角形状の筒体１３を一体的に構成してある。１５は反射鏡１１の底部中央に形成したランプ支持孔である。
また同反射鏡１１は、膨張係数が低く耐熱性の高いホウケイ酸ガラス、または結晶化ガラスを用いて構成してある。大きさは、例えば断面四角形状の筒体１３の個所で外径５０ｍｍ×５０ｍｍ、焦点距離(Ｆ)は７ｍｍに構成してある。反射鏡１１の肉厚は例えば４．５ｍｍ程度に構成してある。
１４は反射鏡１１の有効反射に寄与しない開放口付近に形成した電力供給線が通る溝であって、筒体１３に切り欠いて構成してある。また同溝１４の開口寸法は２ｍｍで、深さは２．５ｍｍに構成してある。
【００１５】
２０は反射鏡１１の開放部付近には設けてなる防爆用の前面ガラスであって、ランプが破損しても割れないように、３ｍｍ程度の厚さに構成してある。また同前面ガラス２０は無反射膜をコートした耐熱ガラスを用いて構成してある。
【００１６】
３０は反射鏡１１の底部中央に形成したランプ支持孔１２に、一端一部を嵌入し接着剤で固着してなるランプであって、ショートアーク放電ランプを用いて構成してある。３１はランプの発光管であって、アーク長は２．０ｍｍ以下に構成してある。接着剤としては、アルミナ、シリカを主成分とする無機系耐熱接着剤を用いて固定してある。
アーク長を２．０ｍｍ以下に規定したのは、本発明に係る反射型ランプ装置を映像用として用いた場合、これ以上の電極間距離では反射鏡の集光効率が低下し用途に適さなくなるためである。
３２は発光管の両端内部に封着してなる電極、３３は電極３２に接続してなるモリブデン箔、３４はモリブデン箔３３に接続してなる外部リード線、３５は外部リード線３４に接続してなる電力供給線であって、反射鏡１１の溝１４をとおって反射鏡の外部に一端が導出される。発光管３１の内部には、封入物としてハロゲンガス、水銀、始動用アルゴンが封入されている。
【００１７】
上記した電力供給線３５がとおる反射鏡１１の溝１４は、電力供給線３５と、前面ガラス２０と、反射鏡をアセンブリーする際に用いる接着剤にて埋めて構成される。
【００１８】
上記のようにして構成した反射型ランプ装置は、例えばマルチレンズを搭載された液晶０．７インチサイズの液晶プロジェクターに組み込み、対角比３：４の４０インチスクリーンに投影して実施した。
この実施例によりスクリーン上の中心照度と縦寸法の１／１２、横寸法の１／１２点の４点との照度差と同様の測定点での色度差で効果を確認した。
その結果電力供給線を反射鏡の開放口側の溝に通した本発明に係る反射型ランプ装置と、反射鏡の反射面に空孔を設けて電力供給線を通した従来の反射型ランプ装置では、投射面における色むらと、輝度むらに明確な差が発生した。
【００１９】
本実施例による色むらは中心と周辺の最大色度差でｘ＝０．００５以内、ｙ＝０．００５以内であったのに対し、従来実施例では同様の最大色度差がｘ＝０．０１５、ｙ＝０．０１５であった。また、輝度むらについても同様な測定点での中心に対する周辺の比が本実施例では９８％以上であったのに対し、従来実施例では最大９０％であった。
本効果の確認に用いた試料は本実施例、従来実施例品共にｎ＝２０本づつである。
【００２０】
また、図４に示す従来の実施例では反射鏡の反射面に電力供給孔を設ける際の機械加工で、電力供給孔付近の反射面に欠けを生じてしまっている。実際には、電力供給孔の径は小さいものの、こうした欠けが大きく反射を損なうものとなっていたり、欠けの防止のため孔周辺を面取りしたり、同電力供給孔に嵌着する端子台を固定する割ピンに平ワッシャを入れたりしている。こうした欠け防止の対策も結果的には有効反射面積を小さくする方向であり、反射面の対称な位置に孔が存在しないため、先の効果結果の様な投射面に輝度むら、色むらを発生させる要因となっている。
またこうした欠けはランプ点滅によるヒートショックにより反射鏡の内面に施設する蒸着膜の剥離の原因となり、反射鏡自身にクラックが入る要因にもなる。
【００２１】
また上記したように電力供給線が通る反射鏡１１の溝１４を接着剤にて埋めて構成すると、ランプの寿命末期にランプが破裂した場合もガラスの破片が外部に飛散することはない。
【００２２】
【発明の効果】
上記したように、本発明に係る反射型ランプ装置は、色むらと輝度むらが少なく、高解像度、高精細で、照射画面は均一となり、さらに反射鏡の有効反射面の利用効率を増大し、特性の良い反射型ランプ装置を得ることができ、さらに安全に実施することができる特別な効果がある。
【図面の簡単な説明】
【図１】本発明に係る反射型ランプ装置の側面図。
【図２】図１における反射鏡の開口部の一部拡大斜視図。
【図３】本発明に係る反射型ランプ装置の正面図。
【図４】従来の反射型ランプ装置の側面図。
【符号の説明】
１１  反射鏡
１２  反射面
１３  筒体
１４  溝
１５  ランプ支持孔
２０  前面ガラス
３０  ランプ
３１  発光管
３２  電極
３３  モリブデン箔
３４  外部リード線
３５  電力供給線
【図１】
0004096159.tif 000002
【図２】
0004096159.tif 000003
【図３】
0004096159.tif 000004
【図４】
0004096159.tif 000005